(57)【特許請求の範囲】
【請求項１】
便座装置及び便器本体を備えるトイレ装置と、通信装置とが無線接続されるトイレシステムであって、
ユーザが前記トイレ装置に対して行った動作を前記便座装置が識別し、その識別結果を前記便座装置から前記通信装置に送信し、前記通信装置に前記識別結果に応じたコンテンツを報知させるトイレトレーニングモードを備え、
ユーザが前記トイレ装置に対して行った動作とは、ユーザの使用によって生じる便蓋の開閉動作、便座への着座動作、便座からの脱座動作、及び、洗浄動作であり、
前記通信装置は、前記トイレ装置から送信された前記識別結果に応じた画像、動画及び音声の少なくともいずれかを前記コンテンツとして報知するトイレシステム。
【請求項２】
前記便座装置は、前記通信装置から前記トイレトレーニングモードに切り替えるトレーニングモード切替信号が供給されることで、前記トイレトレーニングモードに移行する請求項１に記載のトイレシステム。
【請求項３】
前記便座装置は、前記トイレトレーニングモード時において、ユーザの前記トイレ装置に対する操作のうち特定の操作のみを受け付ける請求項１又は請求項２に記載のトイレシステム。
【請求項４】
前記トイレトレーニングモードは、前記トイレ装置に対するユーザの動作順に対応した利用可能な機能が規定されており、
前記便座装置は、前記トイレトレーニングモード時において、前記ユーザの操作に応じて、前記規定された機能を実行する請求項１から請求項３のいずれか一項に記載のトイレシステム。
【請求項５】
前記便座装置は、前記識別結果に応じて受け付け可能な操作が変更される請求項１から
請求項４のいずれか一項に記載のトイレシステム。
【請求項６】
前記便座装置は、便蓋の閉状態を検知した場合に、トイレトレーニングモードを終了す
る請求項１から請求項５のいずれか一項に記載のトイレシステム。
【発明の詳細な説明】
【技術分野】
【０００１】
本発明は、トイレシステムに関する。
【背景技術】
【０００２】
現在、幼児がトイレで正しく排泄できるように、携帯情報端末からトイレの使い方における動画や音声を出力させるトイレトレーニング用のアプリケーションソフトがある。
例えば、幼児の保育者（例えば、母親）は、上記のアプリケーションソフトが実行された携帯情報端末の表示画面を幼児に見せる。そして、幼児は、携帯情報端末の表示画面を確認しながら、トイレを使用し排泄を行うことで、トイレの使い方を学ぶことができる。
【先行技術文献】
【特許文献】
【０００３】
【特許文献１】特許第５７１９７１３号公報
【発明の概要】
【発明が解決しようとする課題】
【０００４】
しかしながら、上記のアプリケーションソフトを用いたトイレトレーニングでは、トイレの使い方を順番に携帯情報端末の表示画面に表示させるには、幼児のトイレの使用状況に応じて保育者が、次の画面へ進めるボタンを押す等の操作を行って、また幼児に見せることを繰り返す必要があり操作が煩雑である。また、上記問題を解決するために、一定時間経過後に次のトイレの使い方を示す画面に切り替わるようにすると、幼児が次に行うべきトイレの使い方と、携帯情報端末の表示画面に表示されているトイレの使い方とが異なる場合がある。したがって、幼児が次に行うべきトイレの使い方を表示画面に正しく表示させることができない。
【０００５】
本発明は、このような事情に鑑みてなされたもので、その目的は、幼児が次に行うべきトイレの使い方を表示画面に正しく表示させることができるトイレシステムを提供することである。
【課題を解決するための手段】
【０００６】
本発明の一態様は、便座装置及び便器本体を備えるトイレ装置と、通信装置とが無線接続されるトイレシステムであって、ユーザが前記トイレ装置に対して行った動作を前記便座装置が識別し、その識別結果を前記便座装置から前記通信装置に送信し、前記通信装置に前記識別結果に応じたコンテンツを報知させるトイレトレーニングモードを備え、ユーザが前記トイレ装置に対して行った動作とは、ユーザの使用によって生じる便蓋の開閉動作、便座への着座動作、便座からの脱座動作、及び、洗浄動作であり、前記通信装置は、前記トイレ装置から送信された前記識別結果に応じた画像、動画及び音声の少なくともいずれかを前記コンテンツとして報知するトイレシステムである。
【０００７】
また、本発明の一態様は、上述のトイレシステムであって、前記便座装置は、前記通信装置から前記トイレトレーニングモードに切り替えるトレーニングモード切替信号が供給されることで、前記トイレトレーニングモードに移行する。
【０００８】
また、本発明の一態様は、上述のトイレシステムであって、前記便座装置は、前記トイレトレーニングモード時において、ユーザの前記トイレ装置に対する操作のうち特定の操作のみを受け付ける。
【０００９】
また、本発明の一態様は、上述のトイレシステムであって、前記トイレトレーニングモードは、前記トイレ装置に対するユーザの動作順に対応した利用可能な機能が規定されており、前記便座装置は、前記トイレトレーニングモード時において、前記ユーザの操作に応じて、前記規定された機能を実行する。
【００１１】
また、本発明の一態様は、上述のトイレシステムであって、前記便座装置は、前記識別結果に応じて受け付け可能な操作が変更される。
【００１２】
また、本発明の一態様は、上述のトイレシステムであって、前記便座装置は、便蓋の閉状態を検知した場合に、トイレトレーニングモードを終了する。
【発明の効果】
【００１３】
以上説明したように、本発明によれば、幼児が次に行うべきトイレの使い方を表示画面に正しく表示させることができるトイレシステムを提供することができる。
【図面の簡単な説明】
【００１４】
【図１】本実施形態におけるトイレシステム１の概略構成の一例を示す図である。
【図２】本実施形態における便座ボックス５の概略構成の一例を示す図である。
【図３】本実施形態における携帯情報端末２０の概略構成の一例を示す図である。
【図４】本実施形態におけるアプリケーションプログラムの起動時の、表示装置１０６の表示画面２００の一例を示す図である。
【図５】本実施形態におけるトイレトレーニングを行うことを幼児に報知するための表示画面の一例を示す図である。
【図６】本実施形態における便蓋６を開状態にすることを報知するための表示画面の一例を示す図である。
【図７】本実施形態における服を脱いで便座７に座ることを幼児に報知するための表示画面の一例を示す図である。
【図８】本実施形態における腹に力を入れて踏ん張ることを幼児に報知するための表示画面の一例の一例を示す図である。
【図９】本実施形態におけるおしりをふいて大洗浄を行うことを幼児に報知するための表示画面の一例を示す図である。
【図１０】本実施形態における便蓋６を閉状態にすることを幼児に報知するための表示画面の一例を示す図である。
【図１１】本実施形態におけるトイレトレーニングを行った幼児を褒めるための表示画面の一例を示す図である。
【図１２】本実施形態における制御装置１８の動作の流れを示すフローチャート図である。
【図１３】本実施形態における携帯情報端末２０の動作の流れを示すフローチャート図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。
【００１６】
実施形態におけるトイレシステムは、トイレ装置と通信装置とが無線接続されるトイレシステムであって、トイレ装置は、ユーザの使用による当該トイレ装置の状態を識別し、その識別結果を通信装置に送信するトイレトレーニングモードを備える。これにより、保育者は、幼児のトイレの使用状況に応じて通信装置を操作することなく、通信装置の表示画面を幼児に見せるだけで、次にするべき行動を幼児に見聞きさせることができ、操作の煩わしさがなくなる。通信装置とは、トイレ装置と無線通信する装置であって、例えば、携帯情報端末やリモコン等である。
以下、実施形態のトイレシステムを、図面を用いて説明する。
【００１７】
図１は、本実施形態におけるトイレシステム１の概略構成の一例を示す図である。
トイレシステム１は、トイレ装置２、リモコン１０及び携帯情報端末２０を備える。
トイレ装置２は、便座装置３及び便器本体４を備える。本実施形態において、トイレ装置２は、便座装置３及び便器本体４を備えるが、これに限定されない。例えば、トイレ装置２は、便座装置３及び便器本体４のいずれかであってもよい。また、トイレシステム１には、リモコン１０が必ずしも備えられていなくてもよい。ただし、その場合には、トイレ装置２に対して大洗浄や小洗浄等といった便器洗浄をさせる機能が、トイレ装置２や携帯情報端末２０に備えられている必要がある。
【００１８】
便座装置３は、リモコン１０と無線通信することで情報を送受する。便座装置３は、携帯情報端末２０と無線通信することで情報を送受する。
便座装置３は、トイレルーム内に設けられた便器本体４上に設置されている。便座装置３は、便座ボックス５、便蓋６及び便座７を備える。
便座ボックス５は、便器本体４の後部に設置されている。
便蓋６及び便座７は、便座ボックス５に上下方向回動可能に支持されている。
【００１９】
リモコン１０は、トイレルームの壁面に設置されている。リモコン１０は、便座ボックス５と無線通信する。リモコン１０は、シャワー洗浄や便器洗浄といった便座装置３のさまざまな機能を実行させる際に使用される。すなわち、リモコン１０には、便座装置３の各機能に対応するスイッチが複数設けられており、ユーザは、所望の機能に対応したスイッチを操作することで、便座装置３に対して所望の機能を実行させることができる。シャワー洗浄とは、便座７に着座しているユーザの臀部を洗浄することである。便器洗浄は、便器本体４内を洗浄することである。便器洗浄には、大洗浄と小洗浄がある。大洗浄の際に便器本体４に供給する洗浄水の水量は便器本体４内の汚物等が便器本体４から良好に排出することができる水量である。小洗浄の際に便器本体４に供給する洗浄水の水量は、大洗浄の際に便器本体４に供給する水量よりも少ない、便器本体４内の溜水が入れ替わる程度の水量である。例えば、リモコン１０は、２個の便器洗浄ボタン（大洗浄ボタン１１１１、小洗浄ボタン１１２）とシャワー洗浄ボタン１１３を備えている。
【００２０】
図２は、本実施形態における便座ボックス５の概略構成の一例を示す図である。
便座ボックス５は、第１人体検知センサ８、第２人体検知センサ９、着座センサ１１、便蓋開閉検知センサ１３、無線通信部１４、便蓋開閉駆動装置１５、人体臀部洗浄用のシャワー装置１６、フラッシュ装置１７及び制御装置１８を備える。
【００２１】
第１人体検知センサ８は、便座ボックス５の上面前縁部に設けられている。第１人体検知センサ８は、便蓋６及び便座７の双方が倒伏した状態において、便器本体４前方の人体を検知する。第１人体検知センサ８は、便器本体４前方の人体を検知した場合に、便器本体４前方の人体を検知したことを示す第１検知信号を制御装置１８出力する。
【００２２】
第２人体検知センサ９は、便座ボックス５の前面の左右方向における中央の下部に設けられている。第２人体検知センサ９は、便蓋６及び便座７の双方が起立した状態において、便器本体４前方の人体を検知する。第２人体検知センサ９は、便器本体４前方の人体を検知した場合に、便器本体４前方の人体を検知したことを示す第２検知信号を制御装置１８に出力する。
【００２３】
着座センサ１１は、ユーザの便座７への着座を検知する。着座センサ１１は、ユーザによる便座７への着座を検知すると、着座検知信号を制御装置１８に出力する。
【００２４】
便蓋開閉検知センサ１３は、便蓋６の開閉状態を検知する。便蓋開閉検知センサ１３は、便蓋６の開状態（起立状態）を検知した場合には、便蓋６が開状態であることを示す便蓋開信号を制御装置１８に供給する。便蓋開閉検知センサ１３は、便蓋６の閉状態（倒伏状態）を検知した場合には、便蓋６が閉状態であることを示す便蓋閉信号を制御装置１８に供給する。例えば、便蓋開閉検知センサ１３としては、ホールＩＣと磁石との組み合わせ、またはマイクロスイッチなどが用いられる。なお、便蓋開閉検知センサ１３は、便蓋６の開状態（起立状態）を検知した場合にのみ便蓋開信号を制御装置１８に供給してもよい。
【００２５】
無線通信部１４は、リモコン１０及び携帯情報端末２０と無線通信する。
便蓋開閉駆動装置１５は、制御装置１８から送信された便蓋駆動信号に基づいて便蓋６を回動させることで、便蓋６を開状態又は閉状態に制御する。
【００２６】
シャワー装置１６は、制御装置１８から供給される第１洗浄信号に基づいてノズル（不図示）の先端から温水を噴出する。これにより、シャワー装置１６は、便座７に着座しているユーザの臀部を洗浄する。以下、便座７に着座しているユーザの臀部の洗浄を臀部洗浄と称する場合がある。
【００２７】
フラッシュ装置１７は、制御装置１８から供給される第２洗浄信号に基づいて便器本体４の便鉢に洗浄水を流す。例えば、フラッシュ装置１７は、制御装置１８から第２洗浄信号が供給されると、便器本体４内を洗浄する便器洗浄を実施ことができる。例えば、フラッシュ装置１７は、リモコン１０に設けた大洗浄ボタン８１、又は便座ボックス５の外表面に設け不図示の洗浄ボタンが操作されることで供給された第２洗浄信号に基づいて大洗浄を実行する。フラッシュ装置１７は、リモコン１０に設けた小洗浄ボタン８２が操作されることで供給された第２洗浄信号に基づいて小洗浄を実行する。
【００２８】
制御装置１８は、リモコン１０から無線送信された便器洗浄の指示に基づいて、フラッシュ装置１７に第２洗浄信号を供給する。制御装置１８は、リモコン１０から無線送信されたシャワー洗浄の指示に基づいて、シャワー装置１６に第１洗浄信号を供給する。また、制御装置１８は、第１人体検知センサ８から第１検知信号が供給された場合、便蓋開閉駆動装置１５に便蓋駆動信号を供給することで、便蓋６を開状態に制御する。
【００２９】
また、制御装置１８は、携帯情報端末２０から無線送信されたトレーニングモード切替信号を無線通信部１４を介して取得した場合、トイレトレーニングモードに移行する。トレーニングモードとは、幼児がトイレで正しく排泄できるように、トイレの使い方を動画や音声等のコンテンツを用いて携帯情報端末２０から出力させるモードである。制御装置１８がトイレトレーニングモードに移行した場合には、以下に列挙する２点の制御を行う。ただし、制御装置１８は、トイレトレーニングモードに移行した場合に、以下の（１）に示す制御のみを実行してもよい。
（１）幼児の使用によるトイレ装置２の状態を識別して、識別結果を携帯情報端末２０に無線送信する。制御装置１８は、幼児の使用によるトイレ装置２の状態を識別することで、幼児のトイレ装置２に対する動作を識別することができる。
（２）トイレ装置２に対する特定の操作のみ受け付ける。また、トイレトレーニングモードは、トイレ装置２に対するユーザの操作順に対応した利用可能な機能が規定されており、トイレ装置２は、トイレトレーニングモード時において、ユーザの操作内容に応じて、規定された機能を実行する。ただし、受け付ける操作は、幼児のトイレ装置２に対する動作の検知結果に応じて変更されてもよい。
【００３０】
本実施形態のトイレトレーニングモードにおいて、正しいトイレの使い方とは、「便蓋６を上げる」、「便座７に着座する」、「便座７から脱座する」、「大洗浄を行う」、「便蓋６を下げる」の順序でトイレ装置２に対する動作を行うことである。したがって、トイレ装置２は、幼児が上記の順序通りの動作を行っているか否かを、自装置に備えられたセンサ等を用いて判定する。そして、トイレ装置２は、順序通りの動作を行っていると判定した場合には、その動作が判定される都度、その判定結果を携帯情報端末２０に無線送信する。また、トイレ装置２は、上記の順序通りの動作ではない操作が供給された場合には、その操作を受け付けない。例えば、次に便座７に着座するべき動作のときに、大洗浄を指示する操作が行われた場合には、トイレ装置２は大洗浄を実行しない。このように、トイレ装置２は、トイレトレーニングモードとして自装置に対する幼児の動作順に対応した利用可能な機能が規定されており、トイレトレーニングモード時において、幼児のトイレ装置２に対する動作に応じて、規定された機能を実行する。幼児の動作順に対応した利用可能な機能とは、幼児のトイレ装置２に対する所定の動作順に対応して、大洗浄の操作やシャワー洗浄等のトイレ装置２に対する所定の操作のみを受け付ける機能である。なお、トイレ装置２は、幼児が上記の順序通りの動作を行っていないと判定した場合には、その判定結果を携帯情報端末２０に無線送信してもよい。このように、トイレトレーニングモードにおいては、トイレ装置２に対する動作をトイレ装置２の状態を識別することで検出し、予め決められ順序に到達した場合に、その到達した順序において許可されている指示を受け付けて、その動作を行う。
【００３１】
以下に、本実施形態における制御装置１８のトイレトレーニングモード時の処理について、具体的に説明する。
【００３２】
制御装置１８は、トイレトレーニングモードに移行した場合、トイレ装置２に対する所定の動作指示の受け付けを禁止する。例えば、制御装置１８は、トイレトレーニングモードに移行した場合、リモコン１０から便器洗浄やシャワー洗浄の指示が供給されても、受け付けない。また、制御装置１８は、第１検知信号が供給されても便蓋開閉駆動装置１５に便蓋駆動信号を供給しない。すなわち、制御装置１８は、便蓋６に対する自動制御を禁止する。これは、排泄するには便蓋６の開状態操作が必要であることを幼児に覚えさせるためである。すなわち、幼児に対して便蓋６を開状態にする動作をさせるためである。
【００３３】
制御装置１８は、トイレトレーニングモードに移行すると、まず便蓋６に対する開動作の受け付け待ち状態（以下、「第１受け付け待ち状態」という。）となる。第１受け付け待ち状態とは、便蓋開閉検知センサ１３から供給される便蓋開信号のみを受け付ける状態であり、その他の信号は受け付けない。なお、トイレトレーニングモードに移行した際に、便蓋６が開状態である場合には、一度便蓋６を閉状態にしないと第１受け付け待ち状態とはならない。
【００３４】
制御装置１８は、第１受け付け待ち状態である場合に、便蓋開閉検知センサ１３から便蓋開信号を取得した場合には、便蓋６に対する開動作を受け付けたことを示す第１受付信号を携帯情報端末２０に無線送信する。制御装置１８は、第１受付信号を携帯情報端末２０に無線送信すると、ユーザの着座動作の受け付け待ち状態（以下、「第２受け付け待ち状態」という。）に移行する。第２受け付け待ち状態とは、着座センサ１１から供給される着座検知信号のみを受け付ける状態であり、その他の信号は受け付けない。
【００３５】
制御装置１８は、第２受け付け待ち状態である場合に、着座センサ１１から着座検知信号を取得した場合には、ユーザの着座動作を受け付けたことを示す第２受付信号を携帯情報端末２０に無線送信する。制御装置１８は、第２受付信号を携帯情報端末２０に無線送信すると、ユーザの脱座動作の受け付け待ち状態（以下、「第３受け付け待ち状態」という。）に移行する。第３受け付け待ち状態とは、着座センサ１１からの着座検知信号の消失を受け付ける状態であり、その他の信号は受け付けない。すなわち、第３受け付け待ち状態とは、着座センサ１１から着座検知信号が供給されなくなるのを検知可能な状態である。
【００３６】
制御装置１８は、第３受け付け待ち状態である場合に、着座センサ１１からの着座検知信号が消失した場合には、ユーザの脱座動作を受け付けたことを示す第３受付信号を携帯情報端末２０に無線送信する。制御装置１８は、第３受付信号を携帯情報端末２０に無線送信すると、大洗浄の操作の受け付け待ち状態（以下、「第４受け付け待ち状態」という。）となる。第４受け付け待ち状態とは、リモコン１０に設けた大洗浄ボタン８１、又は便座ボックス５の外表面に設け不図示の洗浄ボタンが操作されることで供給された第２洗浄信号のみを受け付ける状態であり、その他の信号は受け付けない。
【００３７】
制御装置１８は、第４受け付け待ち状態である場合に、リモコン１０に設けた大洗浄ボタン８１、又は便座ボックス５の外表面に設け不図示の洗浄ボタンが操作されることで供給された第２洗浄信号を取得した場合には、大洗浄の操作を受け付けたことを示す第４受付信号を携帯情報端末２０に無線送信する。制御装置１８は、第４受付信号を携帯情報端末２０に無線送信すると、便蓋６に対する閉動作の受け付け待ち状態（以下、「第５受け付け待ち状態」という。）に移行する。第５受け付け待ち状態とは、便蓋開閉検知センサ１３から供給される便蓋閉信号のみを受け付ける状態であり、その他の信号は受け付けない。
【００３８】
制御装置１８は、第５受け付け待ち状態である場合に、便蓋開閉検知センサ１３から便蓋閉信号を取得した場合には、便蓋６に対する閉動作を受け付けたことを示す第５受付信号を携帯情報端末２０に無線送信する。制御装置１８は、第５受付信号を携帯情報端末２０に無線送信すると、トレイトレーニングモードを脱出し、通常のモードに戻る。通常モードは、便器洗浄の操作や、便蓋６に対する自動制御を許可するモードである。
【００３９】
携帯情報端末２０とトイレ装置２とはＢｌｕｅｔｏｏｔｈ（登録商標）などの簡易無線通信システムによって相互通信するよう構成されている。携帯情報端末２０には、所定のアプリケーションプログラムがインストールされており、ユーザは、そのアプリケーションプログラムを実行することにより、トイレ装置２と通信することで取得した信号に応じて、トイレ装置２の使い方を動画や音声等のコンテンツを携帯情報端末２０から出力させることができる。例えば、携帯情報端末２０は、携帯電話、スマートフォン、ノートパソコン、タブレット端末である。
【００４０】
図３は、本実施形態における携帯情報端末２０の概略構成の一例を示す図である。
図３に示すように、携帯情報端末２０は、操作部１０１、無線通信部１０２、記憶部１０３、処理部１０４及び報知部１０５を備える。報知部１０５は、表示装置１０６及びスピーカ１０７を備える。なお、本実施形態では、表示装置１０６は、タッチパネル式の表示装置である。
【００４１】
操作部１０１は、ユーザによる操作を受け付けることができる。操作部１０１は、受け付けた操作を処理部１０４に供給する。ユーザは、操作部１０１を操作することで、記憶部１０３に記憶された上記のアプリケーションプログラムを実行させることができる。
無線通信部１０２は、便座ボックス５の無線通信部１４と無線通信する。例えば、無線通信部１０２は、Ｂｌｕｅｔｏｏｔｈ（登録商標）通信や赤外線通信によって、便座ボックス５の無線通信部１４と無線通信する。
処理部１０４は、ユーザによる操作部１０１の操作に基づいて、記憶部１０３に記憶された上記のアプリケーションプログラムを実行する。
以下に、上記のアプリケーションプログラムを実行することによる処理部１０４の処理を、具体的に説明する。
【００４２】
図４は、ユーザが上記アプリケーションプログラムを起動したときの、表示装置１０６の表示画面２００の一例を示す図である。例えば、ユーザは、表示画面２００に表示された「トイレトレーニング」のアイコン３００を操作することで携帯情報端末２０内に記憶されている上記のアプリケーションプログラムを実行させることができる。これにより、携帯情報端末２０はトイレトレーニングモードに移行する。携帯情報端末２０は、トレイトレーニングモードに移行すると、トレーニングモード切替信号を無線通信部１４を介してトイレ装置２に無線送信する。
【００４３】
携帯情報端末２０は、トイレトレーニングモードに移行すると、トイレトレーニングを行うことを報知するコンテンツを報知部１０５から出力する。例えば、携帯情報端末２０は、表示装置１０６の表示面に図５に示す表示画面２０１を表示する。図５は、トイレトレーニングを行うことを幼児に報知するための表示画面の一例である。また、携帯情報端末２０は、スピーカ１０７からトイレトレーニングを行うことを報知する音声を出力させる。例えば、トイレトレーニングを行うことを報知する音声は、「こんには。トイレがんばろう。それでは、始めよう。」である。そして、携帯情報端末２０は、便蓋６を開状態にすることを報知するコンテンツを報知部１０５から出力する。例えば、携帯情報端末２０は、表示装置１０６の表示面に図６に示す表示画面２０２を表示する。図６は、便蓋６を開状態にすることを報知するための表示画面の一例である。また、携帯情報端末２０は、スピーカ１０７から便蓋６を開状態にすることを報知する音声を出力させる。例えば、便蓋６を開状態にすることを報知する音声は、「まず、トイレの蓋をあげよう。」である。
【００４４】
携帯情報端末２０は、便蓋６を開状態にすることを報知するコンテンツを報知部１０５から出力すると、第１受付信号の受け付け待ち状態となる。携帯情報端末２０は、トイレ装置２から無線送信された第１受付信号が供給されると、服を脱いで便座７に座ることを報知するコンテンツを報知部１０５から出力する。例えば、携帯情報端末２０は、表示装置１０６の表示面に図７に示す表示画面２０３を表示する。図７は、服を脱いで便座７に座ることを幼児に報知するための表示画面の一例である。また、携帯情報端末２０は、スピーカ１０７から服を脱いで便座７に座ることを報知する音声を出力させる。例えば、服を脱いで便座７に座ることを報知する音声は、「服を脱いで、トイレに座ろう。」である。
【００４５】
携帯情報端末２０は、服を脱いで便座７に座ることを報知するコンテンツを報知部１０５から出力すると、第２受付信号の受け付け待ち状態となる。携帯情報端末２０は、トイレ装置２から無線送信された第２受付信号が供給されると、お腹に力を入れて踏ん張ることを報知するコンテンツを報知部１０５から出力する。例えば、携帯情報端末２０は、表示装置１０６の表示面に図８に示す表示画面２０４を表示する。図８は、お腹に力を入れて踏ん張ることを幼児に報知するための表示画面の一例である。また、携帯情報端末２０は、スピーカ１０７から腹部に力を入れて踏ん張ることを報知する音声を出力させる。例えば、お腹に力を入れて踏ん張ることを報知する音声は、「座ったね。お腹に力をいれて、うんちをしよう。」である。
【００４６】
携帯情報端末２０は、お腹に力を入れて踏ん張ることを報知するコンテンツを報知部１０５から出力すると、第３受付信号の受け付け待ち状態となる。携帯情報端末２０は、トイレ装置２から無線送信された第３受付信号が供給されると、おしりをふいて大洗浄を行うことを報知するコンテンツを報知部１０５から出力する。例えば、携帯情報端末２０は、表示装置１０６の表示面に図９に示す表示画面２０５を表示する。図９は、おしりをふいて大洗浄を行うことを幼児に報知するための表示画面の一例である。また、携帯情報端末２０は、スピーカ１０７からおしりをふいて大洗浄を行うことを報知する音声を出力させる。例えば、おしりをふいて大洗浄を行うことを報知する音声は、「おしりをふいて、服を着たら、水を流そうね。水を流すときには、「大」のボタンをおしてね。」である。
【００４７】
携帯情報端末２０は、おしりをふいて大洗浄を行うことを報知するコンテンツを報知部１０５から出力すると、第４受付信号の受け付け待ち状態となる。携帯情報端末２０は、トイレ装置２から無線送信された第４受付信号が供給されると、便蓋６を閉状態にすることを報知するコンテンツを報知部１０５から出力する。例えば、携帯情報端末２０は、表示装置１０６の表示面に図１０に示す表示画面２０６を表示する。図１０は、便蓋６を閉状態にすることを幼児に報知するための表示画面の一例である。また、携帯情報端末２０は、スピーカ１０７から便蓋６を閉状態にすることを報知する音声を出力させる。例えば、便蓋６を閉状態にすることを報知する音声は、「蓋を閉じたら、終わりだよ。」である。
【００４８】
携帯情報端末２０は、便蓋６を閉状態にすることを報知するコンテンツを報知部１０５から出力すると、第５受付信号の受け付け待ち状態となる。携帯情報端末２０は、トイレ装置２から無線送信された第５受付信号が供給されると、トレイトレーニングモードを脱出する。その際、トイレトレーニングを行った幼児を褒めるコンテンツを報知部１０５から出力する。例えば、携帯情報端末２０は、表示装置１０６の表示面に図１１に示す表示画面２０７を表示する。図１１は、トイレトレーニングを行った幼児を褒めるための表示画面の一例である。また、携帯情報端末２０は、スピーカ１０７からトイレトレーニングを行った幼児を褒める音声を出力させる。例えば、トイレトレーニングを行った幼児を褒める音声は、「やったー！おめでとう！！手を洗ってね。バイバイ。」である。このように、トイレ装置２は、自装置に対する幼児の動作を識別し、その識別結果を携帯情報端末２０に無線送信する。そして、携帯情報端末２０は、携帯情報端末２０から無線送信された識別結果に応じたコンテンツを表示装置１０６やスピーカ１０７を用いて出力する。これにより、トイレシステム１は、トレーニング者である幼児のトイレ装置２に対する操作内容に応じたトイレトレーニングのコンテンツを表示装置１０６やスピーカ１０７を用いて出力することができる。
【００４９】
以下に、本実施形態における制御装置１８の動作の流れについて、説明する。図１２は、本実施形態における制御装置１８の動作の流れを示すフローチャート図である。
制御装置１８は、携帯情報端末２０から無線送信されたトレーニングモード切替信号を取得したか否を判定する（ステップＳ１０１）。制御装置１８は、携帯情報端末２０から無線送信されたトレーニングモード切替信号を取得した場合、トイレトレーニングモードに移行する（ステップ１０２）。
【００５０】
制御装置１８は、トイレトレーニングモードに移行すると、便蓋６に対する開動作の受け付け待ち状態である第１受け付け待ち状態となる（ステップＳ１０３）。
制御装置１８は、第１受け付け待ち状態である場合に、便蓋開閉検知センサ１３から供給される便蓋開信号を取得したか否かを判定する（ステップＳ１０４）。
制御装置１８は、第１受け付け待ち状態である場合に、便蓋開閉検知センサ１３から供給される便蓋開信号を取得すると、便蓋６に対する開動作を受け付けたことを示す第１受付信号を携帯情報端末２０に無線送信する。そして、制御装置１８は、ユーザの着座動作の受け付け待ち状態である第２受け付け待ち状態にとなる（ステップＳ１０５）。
【００５１】
制御装置１８は、第２受け付け待ち状態である場合に、着座センサ１１から着座検知信号を取得したか否かを判定する（ステップＳ１０６）。制御装置１８は、第２受け付け待ち状態である場合に、着座センサ１１から着座検知信号を取得すると、ユーザの着座動作を受け付けたことを示す第２受付信号を携帯情報端末２０に無線送信する。そして、制御装置１８は、ユーザの脱座動作の受け付け待ち状態である第３受け付け待ち状態となる（ステップＳ１０７）。
【００５２】
制御装置１８は、第３受け付け待ち状態である場合に、着座センサ１１からの着座検知信号が消失した否かを判定する（ステップＳ１０８）。制御装置１８は、第３受け付け待ち状態である場合に、着座センサ１１からの着座検知信号が消失したと判定すると、ユーザの脱座動作を受け付けたことを示す第３受付信号を携帯情報端末２０に無線送信する。そして、制御装置１８は、大洗浄の操作の受け付け待ち状態である第４受け付け待ち状態となる（ステップＳ１０９）。
【００５３】
制御装置１８は、第４受け付け待ち状態である場合に、リモコン１０に設けた大洗浄ボタン８１、又は便座ボックス５の外表面に設け不図示の洗浄ボタンが操作されることで供給された第２洗浄信号を取得したか否かを判定する（ステップＳ１１０）。制御装置１８は、第４受け付け待ち状態である場合に、リモコン１０に設けた大洗浄ボタン８１、又は便座ボックス５の外表面に設け不図示の洗浄ボタンが操作されることで供給された第２洗浄信号を取得すると、大洗浄の操作を受け付けたことを示す第４受付信号を携帯情報端末２０に無線送信する。そして、制御装置１８は、便蓋６に対する閉動作の受け付け待ち状態である第５受け付け待ち状態とする（ステップＳ１１１）。
【００５４】
制御装置１８は、第５受け付け待ち状態である場合に、便蓋開閉検知センサ１３から便蓋閉信号を取得したか否かを判定する（ステップＳ１１２）。制御装置１８は、第５受け付け待ち状態である場合に、便蓋開閉検知センサ１３から便蓋閉信号を取得すると、便蓋６に対する閉動作を受け付けたことを示す第５受付信号を携帯情報端末２０に無線送信する。そして、制御装置１８は、トレイトレーニングモードを脱出し、通常のモードに戻る（ステップＳ１１３）。
【００５５】
以下に、本実施形態における携帯情報端末２０の動作の流れについて、説明する。図１３は、本実施形態における携帯情報端末２０の動作の流れを示すフローチャート図である。
【００５６】
携帯情報端末２０は、ユーザによる操作部１０１の操作により、上記のアプリケーションプログラムを実行させると、トレイトレーニングモードに移行し、トレーニングモード切替信号を無線通信部１４を介してトイレ装置２に無線送信する（ステップＳ２０１）。
【００５７】
携帯情報端末２０は、トイレトレーニングを行うことを報知するコンテンツ（以下、「第１コンテンツ」という。）を報知部１０５から出力する。例えば、携帯情報端末２０は、第１コンテンツを動画、画像及び音声のうち、少なくてもいずれか１つを出力する（ステップＳ２０２）。
次に、携帯情報端末２０は、便蓋６を開状態にすることを報知するコンテンツ（以下、「第２コンテンツ」という。）を報知部１０５から出力する。例えば、携帯情報端末２０は、第２コンテンツを動画、画像及び音声のうち、少なくてもいずれか１つを出力する（ステップＳ２０３）。
【００５８】
携帯情報端末２０は、第２コンテンツを報知部１０５から出力すると、第１受付信号の受け付け待ち状態となる。携帯情報端末２０は、トイレ装置２から無線送信された第１受付信号を取得したか否かを判定する（ステップＳ２０４）。携帯情報端末２０は、第１受付信号を取得した場合、服を脱いで便座７に座ることを報知するコンテンツ（以下、「第３コンテンツ」という。）を報知部１０５から出力する。例えば、携帯情報端末２０は、第３コンテンツを動画、画像及び音声のうち、少なくてもいずれか１つを出力する（ステップＳ２０５）。ここで、トイレ装置２から第１受付信号が無線送信されたことは、幼児が便蓋６を開状態にしたことを意味する。
【００５９】
携帯情報端末２０は、第３コンテンツを報知部１０５から出力すると、第２受付信号の受け付け待ち状態となる。携帯情報端末２０は、トイレ装置２から無線送信された第２受付信号を取得したか否かを判定する（ステップＳ２０６）。携帯情報端末２０は、第２受付信号を取得した場合、お腹に力を入れて踏ん張ることを報知するコンテンツ（以下、「第４コンテンツ」という。）を報知部１０５から出力する。例えば、携帯情報端末２０は、第４コンテンツを動画、画像及び音声のうち、少なくてもいずれか１つを出力する（ステップＳ２０７）。ここで、トイレ装置２から第２受付信号が無線送信されたことは、幼児が便座７に着座したことを意味する。
【００６０】
携帯情報端末２０は、第４コンテンツを報知部１０５から出力すると、第３受付信号の受け付け待ち状態となる。携帯情報端末２０は、トイレ装置２から無線送信された第３受付信号を取得したか否かを判定する（ステップＳ２０８）。携帯情報端末２０は、第３受付信号を取得した場合、おしりをふいて大洗浄を行うことを報知するコンテンツ（以下、「第５コンテンツ」という。）を報知部１０５から出力する。例えば、携帯情報端末２０は、第５コンテンツを動画、画像及び音声のうち、少なくてもいずれか１つを出力する（ステップＳ２０９）。ここで、トイレ装置２から第３受付信号が無線送信されたことは、幼児が便座７に脱座したことを意味する。
【００６１】
携帯情報端末２０は、第５コンテンツを報知部１０５から出力すると、第４受付信号の受け付け待ち状態となる。携帯情報端末２０は、トイレ装置２から無線送信された第４受付信号を取得したか否かを判定する（ステップＳ２１０）。携帯情報端末２０は、第４受付信号を取得した場合、便蓋６を閉状態にすることを報知するコンテンツ（以下、「第６コンテンツ」という。）を報知部１０５から出力する。例えば、携帯情報端末２０は、第６コンテンツを動画、画像及び音声のうち、少なくてもいずれか１つを出力する（ステップＳ２１１）。ここで、トイレ装置２から第４受付信号が無線送信されたことは、幼児が大洗浄の操作を行う動作を行ったことを意味する。
【００６２】
携帯情報端末２０は、第６コンテンツを報知部１０５から出力すると、第５受付信号の受け付け待ち状態となる。携帯情報端末２０は、トイレ装置２から無線送信された第５受付信号を取得したか否かを判定する（ステップＳ２１２）。携帯情報端末２０は、第５受付信号を取得した場合、トレイトレーニングモードを脱出する（ステップＳ２１３）。その際、トイレトレーニングを行った幼児を褒めるコンテンツ（以下、「第７コンテンツ」という。）を報知部１０５から出力してもよい。例えば、携帯情報端末２０は、第７コンテンツを動画、画像及び音声のうち、少なくてもいずれか１つを出力する（ステップＳ２１４）。このように、トイレ装置２は、自装置に対する幼児の動作を識別し、その識別結果を携帯情報端末２０に無線送信する。そして、携帯情報端末２０は、携帯情報端末２０から無線送信された識別結果に応じたコンテンツを表示装置１０６やスピーカ１０７を用いて出力する。これにより、トイレシステム１は、トレーニング者である幼児のトイレ装置２に対する操作内容に応じたトイレトレーニングのコンテンツを表示装置１０６やスピーカ１０７を用いて出力することができる。
【００６３】
上述したように、本実施形態におけるトイレシステム１は、トイレ装置２と携帯情報端末２０とが無線接続されるトイレシステムである。トイレ装置２は、ユーザの使用による当該トイレ装置２の状態を識別し、識別結果を携帯情報端末２０に無線送信するトイレトレーニングモードを備える。これにより、携帯情報端末２０は、無線送信された識別結果に応じたコンテンツを出力することができる。したがって、トイレシステム１は、幼児が次に行うべきトイレの使い方を、画像、動画、音声等のコンテンツとして携帯情報端末２０から出力することができる。すなわち、ユーザが携帯情報端末２０のアプリケーションプログラムを起動し、トイレトレーニングメニュー（上記トイレトレーニングのアイコン）を選択すると、トイレ装置２はトレーニングモードに移行する。そして、携帯情報端末２０は、トイレトレーニングモード中に、トイレ装置２の各使用状態を示す情報を、トイレ装置２から取得することで、幼児が次にとるべき一連の行動を動画や音声等でアナウンスすることができる。
【００６４】
また、上述の本実施形態におけるトイレシステム１において、トイレ装置２は、トイレトレーニングモード時において、ユーザのトイレ装置２に対する操作の中で特定の操作のみを受け付ける。したがって、幼児が間違った動作や操作を行った場合、トイレ装置２は動作しないので、正しいトイレ装置２の使い方を支援することができる。
【００６５】
上述の実施形態では、トイレ装置２は、トイレトレーニングモード時において、ユーザの使用による当該トイレ装置の状態を識別し、識別結果を携帯情報端末２０に無線送信したが、これに限定されない。すなわち、トイレ装置２は、トイレトレーニングモード時において、ユーザの使用による当該トイレ装置２の状態を識別し、自装置と無線通信する通信装置にその識別結果を送信すればよい。例えば、トイレトレーニングモード時において、ユーザの使用による当該トイレ装置２の状態を識別し、識別結果をリモコン１０に無線送信してもよい。その場合には、リモコン１０は、無線送信された識別結果に応じた画像、動画、音声等のコンテンツを出力する。
【００６６】
上述の実施形態では、トイレ装置２は、トイレトレーニングモードにおいて、幼児のトイレ装置２に対する操作内容を識別し、識別結果が受け付け可能な動作でなかった場合には、誤動作信号を携帯情報端末２０に無線送信してもよい。携帯情報端末２０は、誤動作信号を取得した場合には、誤った操作がされたことを報知するコンテンツを報知部１０５から出力する。これにより、幼児は自身が行った動作の間違いに気づくことができる。例えば、幼児が便座７に着座すべき場合に、大洗浄ボタンを押してしまった場合に、携帯情報端末２０は、トイレ装置２から誤動作信号が供給され、誤った操作がされたことを報知するコンテンツを報知部１０５から出力する。
【００６７】
また、本実施形態におけるトイレシステム１は、トイレ装置２において幼児のトイレ装置２に対する動作が一定時間検知されない場合には、トイレ装置２に対する動作を促すコンテンツを携帯情報端末２０から出力するようにしてもよい。
【００６８】
また、本実施形態におけるトイレシステム１は、トイレトレーニングモードに移行するタイミングには特に限定されない。例えば、最初からトイレトレーニングモードになっていてもよいし、専用のスイッチがトイレ装置２に備えれており、そのスイッチが操作されることで、トイレトレーニングモードに移行してもよい。
【００６９】
また、本実施形態におけるトイレシステム１は、幼児が水を流し忘れてしまった場合には、一定時間後に大洗浄を実行してもよい。
【００７０】
上述した実施形態における便座装置３をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７１】
以上、この発明の実施形態について図面を参照して詳述してきたが、具体的な構成はこの実施形態に限られるものではなく、この発明の要旨を逸脱しない範囲の設計等も含まれる。トイレトレーニングに限られず、いたずら防止や掃除モードとして転用されてもよい。
【００７２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７３】
１  トイレシステム
２  トイレ装置
３  便座装置
４  便器本体
５  便座ボックス
８  第１人体検知センサ
９  第２人体検知センサ
１０  リモコン
１１  着座センサ
１４  無線通信部
１８  制御装置
１６  シャワー装置
１７  フラッシュ装置
２０  携帯情報端末
１０１  操作部
１０２  無線通信部
１０３  記憶部
１０４  処理部
１０５  報知部
１０６  表示装置
１０７  スピーカ
【図１】
0006685699.tif 000002
【図２】
0006685699.tif 000003
【図３】
0006685699.tif 000004
【図４】
0006685699.tif 000005
【図５】
0006685699.tif 000006
【図６】
0006685699.tif 000007
【図７】
0006685699.tif 000008
【図８】
0006685699.tif 000009
【図９】
0006685699.tif 000010
【図１０】
0006685699.tif 000011
【図１１】
0006685699.tif 000012
【図１２】
0006685699.tif 000013
【図１３】
0006685699.tif 000014